(57)【要約】【課題】フィールド機器に搭載可能な小型で簡易に交換可能なサージ防護装置を提供する。【解決手段】少なくとも一対の電源端子を備えるフィールド機器に搭載するサージ防護装置であって、電源端子に電源ケーブルとともに接続される一対の端子金具と、一対の端子金具と接続する２つの極と、２つの極間にサージ電圧が印加された場合にサージ電流を流す接地極とを有するサージ防護素子が実装された回路基板と、接地極に接続されたアース配線用ケーブルと、回路基板を収容し、一対の端子金具とアース配線用ケーブルとが外部に突出した本体部とを備える。【選択図】図１
2017147909.tif 000002
【特許請求の範囲】
【請求項１】
少なくとも一対の電源端子を備えるフィールド機器に搭載するサージ防護装置であって、
前記電源端子に電源ケーブルとともに接続される一対の端子金具と、
前記一対の端子金具と接続する２つの極と、前記２つの極間にサージ電圧が印加された場合にサージ電流を流す接地極とを有するサージ防護素子が実装された回路基板と、
前記接地極に接続されたアース配線用ケーブルと、
前記回路基板を収容し、前記一対の端子金具と前記アース配線用ケーブルとが外部に突出した本体部と、
を備えることを特徴とするサージ防護装置。
【請求項２】
前記回路基板には、前記一対の端子金具が直接取り付けられていることを特徴とする請求項１に記載のサージ防護装置。
【請求項３】
請求項１または２に記載のサージ防護装置が搭載され、前記少なくとも一対の電源端子が内部に設けられたケース本体を備えるフィールド機器であって、
前記サージ防護装置が、前記ケース本体内部に収められていることを特徴とするフィールド機器。
【請求項４】
前記ケース本体内部に、前記一対の電源端子が配置された電源端子台部と、前記電源端子以外の端子が配置された他端子台部とを備え、
前記電源端子台部の高さと、前記他端子台部の高さとが異なることを特徴とする請求項３に記載のフィールド機器。
【請求項５】
電源ケーブルに印加されるサージ電圧から防護対象装置を防護するサージ防護装置であって、
前記電源ケーブルに接続される一対の端子金具と、
前記一対の端子金具と接続する２つの極と、前記２つの極間にサージ電圧が印加された場合にサージ電流を流す接地極とを有するサージ防護素子が実装された回路基板と、
前記接地極に接続されたアース配線用ケーブルと、
前記回路基板を収容し、前記一対の端子金具と前記アース配線用ケーブルとが外部に突出した本体部とを備え、
前記一対の端子金具が前記防護対象装置との接続端子金具を兼ねることを特徴とするサージ防護装置。
【発明の詳細な説明】
【技術分野】
【０００１】
本発明は、フィールド機器の電源端子に接続可能なサージ防護装置に関する。
【背景技術】
【０００２】
一般に、フィールド機器は電源端子を備えており、電源端子に電源ケーブルを接続することで動作に必要な電力の供給を受ける。２線式伝送器であれば、電源ケーブルが４−２０ｍＡの範囲で可変する電流出力信号ケーブルを兼ねることになる。
【０００３】
電源ケーブルには、落雷や高電圧設備の影響等により、サージ電圧と呼ばれる瞬間的で大きな異常電圧が混入する場合がある。このサージ電圧からフィールド機器を保護するためにサージ防護装置（避雷器、アレスタ、サージアブソーバ、過渡保護装置等とも呼ばれる）が用いられる。
【０００４】
サージ防護装置は、フィールド機器の回路基板に実装する場合や、サージ防護モジュールとしてフィールド機器に搭載する場合等がある。サージ防護モジュールとして用いられるサージ防護装置は、電源ケーブルを接続する正極負極一対の電源側端子と、保護対象フィールド機器の電源端子に接続するための正極負極一対の装置側端子とを備えており、正極負極端子間にサージ防護素子を接続した構成となっている。
【０００５】
サージ防護素子としては、金属酸化物バリスタ、アヴァランシェダイオード、ガス入り放電管、サージ防護サイリスタ等が用いられている。また、ノイズ除去等を目的とするフィルタ機能等をサージ防護装置に組み込むことも行なわれている。
【先行技術文献】
【特許文献】
【０００６】
【特許文献１】特開平６−２１６４３３号公報
【発明の概要】
【発明が解決しようとする課題】
【０００７】
防爆仕様のフィールド機器にモジュール型のサージ防護装置を接続する場合、端子台の電源端子に接続したサージ防護装置をフィールド機器のケース内に収める必要がある。また、フィールド機器は、電源端子のみならずセンサ端子、アース端子等複数の端子を備えるものが多く、それぞれの端子には必要に応じた配線がなされるため、ケース内部には線を敷設するスペースや、配線のための作業スペースを確保しなければならない。このため、サージ防護装置を小型化したいという要求がある。
【０００８】
さらには、サージ防護装置は、サージ防護素子にサージ電流を流すことによりサージ電圧からフィールド機器を保護するため、サージ防護素子自体がサージ電圧により損傷を受ける場合がある。このような場合に備えて、配線等の作業をし易くして、サージ防護装置の交換を簡易に行なえることが好ましい。
【０００９】
そこで、本発明は、フィールド機器に搭載可能な小型で簡易に交換可能なサージ防護装置を提供することを目的とする。
【課題を解決するための手段】
【００１０】
上記課題を解決するため、本発明の第１の態様であるサージ防護装置は、少なくとも一対の電源端子を備えるフィールド機器に搭載するサージ防護装置であって、前記電源端子に電源ケーブルとともに接続される一対の端子金具と、前記一対の端子金具と接続する２つの極と、前記２つの極間にサージ電圧が印加された場合にサージ電流を流す接地極とを有するサージ防護素子が実装された回路基板と、前記接地極に接続されたアース配線用ケーブルと、前記回路基板を収容し、前記一対の端子金具と前記アース配線用ケーブルとが外部に突出した本体部と、を備えることを特徴とする。
ここで、前記回路基板には、前記一対の端子金具が直接取り付けられているものであってもよい。
上記課題を解決するため、本発明の第２の態様であるフィールド機器は、前記サージ防護装置が搭載され、前記少なくとも一対の電源端子が内部に設けられたケース本体を備えるフィールド機器であって、前記サージ防護装置が、前記ケース本体内部に収められていることを特徴とする。
ここで、前記ケース本体内部に、前記一対の電源端子が配置された電源端子台部と、前記電源端子以外の端子が配置された他端子台部とを備え、前記電源端子台部の高さと、前記他端子台部の高さとが異なるようにしてもよい。
上記課題を解決するため、本発明の第３の態様であるサージ防護装置は、電源ケーブルに印加されるサージ電圧から防護対象装置を防護するサージ防護装置であって、前記電源ケーブルに接続される一対の端子金具と、前記一対の端子金具と接続する２つの極と、前記２つの極間にサージ電圧が印加された場合にサージ電流を流す接地極とを有するサージ防護素子が実装された回路基板と、前記接地極に接続されたアース配線用ケーブルと、前記回路基板を収容し、前記一対の端子金具と前記アース配線用ケーブルとが外部に突出した本体部とを備え、前記一対の端子金具が前記防護対象装置との接続端子金具を兼ねることを特徴とする。
【発明の効果】
【００１１】
本発明によれば、フィールド機器に搭載可能な小型で簡易に交換可能なサージ防護装置が提供される。
【図面の簡単な説明】
【００１２】
【図１】本実施形態に係るサージ防護装置の外形を示す斜視図である。
【図２】サージ防護装置の上面図、側面図、断面図である。
【図３】サージ防護装置が取り付けられる温度伝送器の端子台を示す斜視図である。
【図４】電源ケーブルとセンサケーブルとの配線を示す図である。
【図５】サージ防護装置が取り付けられた温度伝送器の端子台を示す斜視図である。
【図６】電源端子にサージ防護装置と電源ケーブルを接続したときの、温度伝送器を模式的に示す図である。
【発明を実施するための形態】
【００１３】
本発明の実施の形態について図面を参照して説明する。図１は、本実施形態に係るサージ防護装置１００の外形を示す斜視図である。サージ防護装置１００は、フィールド機器に搭載するのに好適であり、本実施形態では、フィールド機器として２線式の温度伝送器に搭載する場合を例に説明する。
【００１４】
本図に示すように、サージ防護装置１００は、本体部１１０と、本体部１１０から延びて、先端に圧着端子１４０が取り付けられ、根元が熱圧縮チューブ１５０で保護されたアース配線用ケーブル１３０と、本体部１１０内部から突出した一対の端子金具１２０とを備えている。一対の端子金具１２０は、先開のＹ形で、アース配線用ケーブル１３０の延伸方向に並んでいる。便宜上、端子金具１２０が突出している面を上面とし、伸びた状態のアース配線用ケーブル１３０の延伸方向を単に延伸方向とする。
【００１５】
本実施形態のサージ防護装置１００において、端子金具１２０は、電源ケーブルを接続する電源側端子と、保護対象装置の電源端子に接続するための装置側端子とを兼ねている。
【００１６】
図２（ａ）は、サージ防護装置１００の上面図であり、図２（ｂ）は、サージ防護装置１００の横面図である。また、図２（ｃ）は、図２（ａ）におけるＡ−Ａ断面図であり、図２（ｄ）は、図２（ｂ）におけるＢ−Ｂ断面図である。
【００１７】
一対の端子金具１２０は、プラス側端子１２１とマイナス側端子１２２とで構成されており、本体部１１０の内部から上面に突出してすぐに横方向に直角に折り曲げられている。折り曲げられた状態で、根元からＹ形の先端方向が延伸方向に対して斜めになっている。これは、後述するように、温度伝送器のケース本体内に設けられた端子台の形状に対応させたものである。
【００１８】
サージ防護装置１００の本体部１１０は、回路基板１６０を収容するケース部１１１と、ケース部１１１を上面から覆う蓋部１１２とで構成され、内部は保護のためシリコン等の充填剤１６２で満たされている。
【００１９】
回路基板１６０には、３極のサージ防護素子１６１が実装されている。正極はプラス側端子１２１と接続し、負極はマイナス側端子１２２と接続し、接地極はアース配線用ケーブル１３０と接続している。サージ防護素子１６１は、正極−負極間にサージ電圧が印加された場合、サージ電流を接地極からアース（対地）へ流すように構成されている。
【００２０】
回路基板１６０には、プラス側端子１２１、マイナス側端子１２２が直接取り付けられるとともに、サージ防護素子１６１以外の素子を実装しないことで、回路基板１６０のサイズが小さくなるようにしている。なお、より小さい形状のサージ防護素子１６１を選択することで、他の部品を回路基板１６０に実装することも可能である。
【００２１】
本体部１１０は、サージ防護素子１６１が実装された回路基板１６０を収容可能で、なるべく小さなサイズとするために、上面から見て長方形の一隅が窪んだ形状とし、窪んでいない長辺側に回路基板１６０を配置するようにしている。
【００２２】
図３は、サージ防護装置１００が取り付けられる温度伝送器２００の端子台を示す斜視図である。温度伝送器２００内部の仕切られた空間である配線接続室に配置された端子台には、電源ケーブルを接続するための一対の電源端子２１０、熱電対・測温抵抗体等を接続するための複数個のセンサ端子２２０が円弧状に並んで設けられており、これらと離間してアース端子２３０が設けられている。
【００２３】
各端子の周辺は接続先端子のガイドとなるとともに端子間の電気的絶縁を確保するための仕切壁が形成されている。電源端子２１０は、円弧状の端子列の端部に配置されていることから、配線の便宜上、仕切壁が中心方向に対して斜めに形成されている。サージ防護装置１００の一対の端子金具１２０の形状と間隔は、電源端子２１０および周辺の壁の位置と形状に対応している。
【００２４】
温度伝送器２００において、電源端子２１０の台部とセンサ端子２２０の台部とは高さが異なって形成されている。具体的には、電源端子２１０の台部がセンサ端子２２０の台部よりも高く形成されている。
【００２５】
これは、図４に示すように電源ケーブル３１０とセンサケーブル３２０とを各端子に配線する際に、両ケーブルをケース本体２５０内の端子台部分で交差させることができ、ケーブル同士の干渉を防いで作業を容易とさせるためである。円弧状の電源端子２１０の台部とセンサ端子２２０の台部の内側は、台部に対して窪んだ窪部２４０となっている。サージ防護装置１６１の交換時に、交換前の電源ケーブル３１０とセンサケーブル３２０の取り外し、および交換後の各ケーブルの接続が容易であり、サージ防護装置１６１の交換が容易となる。
【００２６】
図５に示すように、サージ防護装置１００は、一対の端子金具１２０を一対の電源端子２１０に接続したときに、本体部１１０が窪部２４０の一隅に収まるようになっている。この状態で、アース配線用ケーブル１３０を窪部２４０の底面付近を這わせ、先端の圧着端子１４０をアース端子２３０に接続する。アース配線用ケーブル１３０は、接続されたときにケーブルが無駄に迂回しないような長さとする。また、一対の端子金具１２０が電源端子２１０の高さに合致するように、本体部１１０の奥行も窪部２４０の深さに対応させる。
【００２７】
サージ防護装置１００の端子金具１２０を電源端子２１０に接続した状態で、電源ケーブルを配線し、電源端子２１０のねじを締め上げることで、サージ防護装置１００の端子金具１２０と、電源ケーブルと、電源端子２１０とが同一箇所で直接的に接続されることになる。
【００２８】
サージ防護装置１００の本体は必要最小限のサイズで、窪部２４０に収まっているため、スペース的な余裕が確保されており、電源ケーブルやセンサケーブルの配線の支障となることは無い。
【００２９】
サージ電圧によりサージ防護素子１６１が損傷した場合やメンテナンス時には、電源端子２１０およびアース端子２３０のねじを弛めることで、サージ防護装置１００を容易に取り外すことができ、取り付けも容易に行なうことができる。
【００３０】
図６は、電源端子２１０にサージ防護装置１００と電源ケーブルを接続したときの、温度伝送器２００を模式的に示す図である。本図に示すように、ケース本体２５０は、内部隔壁２５１により端子台を収容する配線接続室と回路基板２６０と表示装置２７０とを収容するアンプ室とに仕切られている。
【００３１】
防爆仕様を満たすため、配線接続室は端子部カバー２９０で覆われ、アンプ室はアンプ部カバー２８０で覆われる。アース配線用ケーブル１３０が接続されたアース端子２３０は、ケース本体２５０に繋がっていて、ケース本体２５０がアースに接続（接地）される。
【００３２】
以上説明したように、本実施形態のサージ防護装置１００では、端子金具１２０が、電源ケーブルを接続する電源側端子と、保護対象装置の電源端子に接続するための装置側端子とを兼用している。また、回路基板１６０には、サージ防護素子１６１以外の素子は搭載しないようにしている。さらには、本体部１１０を小型化するとともに、端子金具１２０や本体部１１０の形状を搭載先の端子台の形状に対応させている。これらにより、フィールド機器に好適な小型で簡易に交換可能なサージ防護装置が実現されている。
【００３３】
なお、上記の実施形態では、フィールド機器として２線式の温度伝送器２００を例に説明したが、本発明は、２線式の温度伝送器に限られず、差圧伝送器、渦流量計、ｐＨ計等の２線式フィールド機器、あるいは電磁流量計、コリオリ流量計、超音波流量計等の商用電源等から電源供給される４線式フィールド機器のアナログ電流出力部や、各種通信部分等に広く適用することができる。
【符号の説明】
【００３４】
１００…サージ防護装置、１１０…本体部、１１１…ケース部、１１２…蓋部、１２０…端子金具、１２１…プラス側端子、１２２…マイナス側端子、１３０…アース配線用ケーブル、１４０…圧着端子、１５０…熱圧縮チューブ、１６０…回路基板、１６１…サージ防護素子、１６２…充填剤、２００…温度伝送器、２１０…電源端子、２２０…センサ端子、２３０…アース端子、２４０…窪部、２５０…ケース本体、２５１…内部隔壁、２６０…回路基板、２７０…表示装置、２８０…アンプ部カバー、２９０…端子部カバー、３１０…電源ケーブル、３２０…センサケーブル
【図１】
2017147909.tif 000003
【図２】
2017147909.tif 000004
【図３】
2017147909.tif 000005
【図４】
2017147909.tif 000006
【図５】
2017147909.tif 000007
【図６】
2017147909.tif 000008